(57)【特許請求の範囲】
【請求項１】
情報が記録されているディスクから情報を含む信号を読み出すピックアップ手段と、
前記ピックアップ手段の出力から必要な情報を取り出し、これを増幅するヘッドアンプと、
前記ヘッドアンプが生成した情報を含む信号をハイレベルとローレベルの二値の情報に変換する二値化手段と、
前記二値化手段の出力信号に同期したクロックを生成するＰＬＬ手段と、
前記二値化手段の出力信号を前記ＰＬＬ手段の生成したクロックを基にして情報再生に必要な信号処理を行い、情報信号を出力し、且つ前記ディスク上に記録された同期信号を分離する信号処理手段と、
前記ディスクの情報再生に必要な再生クロックを生成する再生クロック生成手段と、
前記信号処理手段の出力情報を、前記ＰＬＬ手段の生成したクロックを基にして書き込みを行い、前記再生クロック生成手段の生成したクロックを基にして情報の読み出しを行い、前記ディスクから読み出した情報を一時的に蓄えるメモリ手段と、
前記メモリから読み出された情報を所定の形式に変換して出力する出力処理手段と、
前記信号処理手段が分離した同期信号から前記ディスクの再生線速度を検出する線速度検出手段と、
前記ディスクを回転させるディスクモータと、
前記ディスクモータを駆動するディスクモータ駆動手段と、
前記ディスクモータ駆動手段に駆動信号である直流信号を送る直流信号発生手段と、
前記線速度検出手段の検出した線速度を監視し、その情報を基にして前記直流信号発生手段の出力直流信号を設定し、且つ前記メモリ手段内のデータがオーバーフローしないように前記メモリ手段への情報の書き込み動作の中断と再開を制御するシステムコントロール手段とを具備し、
前記システムコントロール手段は、前記線速度検出手段の検出した線速度が前記メモリ手段内に常にデータを蓄えるためにメモリ手段からの情報の読み出しよりもデータの書き込みの方が早くなるように予め設定された線速度に近くなるように前記直流信号発生手段の出力直流信号を設定した後は該直流信号を固定し、以後その固定の直流信号で前記ディスクモータを駆動することを特徴とするディスク再生装置。
【請求項２】
前記ピックアップ手段の制御を行い、前記システムコントロール手段により、その制御の中断と再開をコントロールできるピックアップ制御手段を更に具備し、前記システムコントロール手段は、前記メモリ手段への情報の書き込みを中断している時間は前記ピックアップ制御手段を停止させ、その停止期間中、前記直流信号発生手段は、一度設定した固定の直流信号を出力し、前記ディスクの回転は中断しないことを特徴とする請求項１に記載のディスク再生装置。
【請求項３】
前記信号処理手段が分離した同期信号から前記ディスクの線速度を一定に制御する制御信号を生成する回転制御信号生成手段と、前記回転制御信号生成手段の出力から直流成分を抽出するローパスフィルタ手段とを更に具備し、前記システムコントロール手段は、前記回転制御信号生成手段により、前記ディスクの回転を、前記メモリ手段内に常にデータを蓄えるためにメモリ手段からの情報の読み出しよりもデータの書き込みの方が早くなるように予め設定された線速度に制御し、前記ローパスフィルタ手段は前記回転制御信号生成手段の出力信号の直流成分を抽出し、前記ローパスフィルタ手段が抽出した直流成分を前記直流信号発生手段の出力信号として設定することにより、予め設定された線速度に近くなるように前記直流信号発生手段の出力直流信号を設定することを特徴とし、設定した後は、該直流信号を固定し、以後その固定の直流信号で前記ディスクモータを駆動する請求項１に記載のディスク再生装置。
【請求項４】
前記ディスクの回転角速度情報を検出する角速度検出手段と、前記角速度検出手段が検出した角速度情報から前記ディスクの角速度を一定に制御する制御信号を生成する回転制御信号生成手段と、前記回転制御信号生成手段の出力から、直流成分を抽出するローパスフィルタとを更に具備し、前記システムコントロール手段は、前記回転制御信号生成手段により前記ディスクの回転を前記メモリ手段内に常にデータを蓄えるためにメモリ手段からの情報の読み出しよりもデータの書き込みの方が早くなるように予め設定された線速度に近い角速度一定に制御し、前記ローパスフィルタ手段は前記回転制御信号生成手段の出力信号の直流成分を抽出し、前記ローパスフィルタ手段が抽出した直流成分を前記直流信号発生手段の出力信号として設定することにより、予め設定された線速度に近くなるように前記直流信号発生手段の出力直流信号を設定することを特徴とし、設定した後は、該直流信号を固定し、以後その固定の直流信号で前記ディスクモータを駆動する請求項１に記載のディスク再生装置。
【請求項５】
情報の記録されているディスクから再生された情報を含む信号をハイレベルとローレベルの二値の情報に変換する二値化手段と、
前記二値化手段の出力信号に同期したクロックを生成するＰＬＬ手段と、
前記二値化手段の出力信号を前記ＰＬＬ手段が生成したクロックを基にして情報再生に必要な信号処理を行い、情報信号を出力し、且つ前記ディスク上に記録された同期信号を分離する信号処理手段と、
前記ディスクの情報再生に必要な再生クロックを生成する再生クロック生成手段と、
前記信号処理手段の出力情報を前記ＰＬＬ手段の生成したクロックを基にして書き込みを行い、前記再生クロック生成手段の生成したクロックを基にして情報の読み出しを行い、前記ディスクから読み出した情報を一時的に蓄えるためのメモリ手段と、
前記メモリ手段から読み出された情報を所定の形式に変換して出力する出力処理手段と、
前記信号処理手段が分離した同期信号から前記ディスクの再生線速度を検出する線速度検出手段と、
前記ディスクの回転を制御する直流信号を生成する直流信号発生手段と、
前記線速度検出手段の検出した線速度を監視し、その情報を基にして前記直流信号発生手段の出力直流信号を設定し、且つ前記メモリ内のデータがオーバーフローしないように前記メモリ手段への情報の書き込み動作の中断と再開を制御するシステムコントロール手段とを具備し、
前記システムコントロール手段は、前記線速度検出手段の検出した線速度が前記メモリ手段内に常にデータを蓄えるためにメモリ手段からの情報の読み出しよりもデータの書き込みの方が早くなるように予め設定された線速度に近くなるように前記直流信号発生手段の出力直流信号を設定した後は該直流信号を固定し、以後その固定の直流信号で前記ディスクモータを駆動することを特徴とするディスク再生制御回路。
【請求項６】
前記信号処理手段が分離した同期信号から前記ディスクの線速度を一定に制御する制御信号を生成する回転制御信号生成手段と、前記回転制御信号生成手段の出力から直流成分を抽出するローパスフィルタ手段とを更に具備し、前記システムコントロール手段は、前記回転制御信号生成手段により前記ディスクの回転を前記メモリ手段内に常にデータを蓄えるためにメモリ手段からの情報の読み出しよりもデータの書き込みの方が早くなるように予め設定された線速度に制御し、前記ローパスフィルタ手段は前記回転制御信号生成手段の出力信号の直流成分を抽出し、前記ローパスフィルタ手段が抽出した直流成分を前記直流信号発生手段の出力信号として設定することにより、予め設定された線速度に近くなるように前記直流信号発生手段の出力直流信号を設定することを特徴とし、設定した後は、該直流信号を固定し、以後その固定の直流信号で前記ディスクモータを駆動する請求項５に記載のディスク再生制御回路。
【請求項７】
前記ディスクの回転角速度情報を検出する角速度検出手段と、前記角速度検出手段が検出した角速度情報から前記ディスクの角速度を一定に制御する制御信号を生成する回転制御信号生成手段と、前記回転制御信号生成手段の、出力から、直流成分を抽出するローパスフィルタ手段とを更に具備し、前記システムコントロール手段は、前記回転制御信号生成手段により前記ディスクの回転を前記メモリ手段内に常にデータを蓄えるためにメモリ手段からの情報の読み出しよりもデータの書き込みの方が早くなるように予め設定された線速度に近い角速度一定に制御し、前記ローパスフィルタ手段は前記回転制御信号生成手段の出力信号の直流成分を抽出し、前記ローパスフィルタ手段が抽出した直流成分を前記直流信号発生手段の出力信号として設定し、設定した後は、該直流信号を固定し、以後その固定の直流信号で前記ディスクモータを駆動する請求項５に記載のディスク再生制御回路。
【発明の詳細な説明】
【０００１】
【発明の属する技術分野】
本発明は、ＣＤ、ＭＤ、ＤＶＤ等のディスクを再生する装置及びその再生制御回路に関するものである。
【０００２】
【従来の技術】
現在、音響機器の分野では高密度で忠実度の高い記録再生を行うために、オーディオ信号をＰＣＭ（Pulse Code Modulation)技術によりデジタル化信号に変換して、例えば、ディスクや磁気テープなどの記録媒体に記録し、これを再生するデジタル記録再生システムが知られている。特に直径１２ｃｍのディスクにデジタル化データに対応したビット列を形成し、これを光学式に読み取るＣＤが最も普及している。この様なディスク再生装置は、半導体レーザや光電変換素子などを内蔵した光学式ピックアップをディスクの内周側から外周側に向けてリニアトラッキングに移動させるとともにＣＤを線速度一定（ＣＬＶ：Constant Linear Velocity) に回転させることによってＣＤに記録されたデータの読み取りを行うＣＤ以外にもＣＤ−ＲＯＭ、ＤＶＤ−ＲＯＭなどが知られている。
ＣＤ（コンパクト・ディスク）やＭＤ（ミニ・ディスク）などのディスク再生装置では、主に次の２つの理由から、ディスクからのデータの読み出し速度を所定の再生速度より早く設定し、ディスクから読み出したデータを一度半導体メモリに蓄え、その蓄えられたデータを所定の再生速度で読み出すという機能を備えているものがある。
【０００３】
（１）ポータブルＣＤプレーヤやＭＤプレーヤなどではディスク再生時の耐振性（外部からプレーヤに振動が加わっても連続して音声データを再生できる）を高めるため、予め半導体メモリにデータを蓄えておき、振動でディスクからの読み出しが途切れた場合はメモリからの読み出しで補い、メモリ内のデータがなくなる前にディスクからの読み出しを再開することによってデータが途切れることなく再生できるようにしている。
（２）ＣＤ−ＲＯＭドライブなどの情報機器の周辺記憶装置では接続されている情報機器（ホスト）からの要求に応じて高速でデータを転送するためディスクから読み出した信号を一度半導体メモリに蓄え、ホストへのＩ／Ｆを通して、高速で転送している。
【０００４】
またこのようなドライブでもＣＤ−ＤＡ（デジタルオーディオ）のディスクから音声信号を再生する必要がある。ところがＣＤ−ＲＯＭのディスクではデジタルデータの読み出しを高速で行うため、ＣＤ−ＤＡディスクの所定の再生速度よりも大幅に速い再生速度でデータを読み出している。同一のディスクにＣＤ−ＲＯＭデータとＣＤ−ＤＡのデータが記録されていて頻繁にその双方を再生する場合、ＣＤ−ＲＯＭデータ部は高速で再生し、ＣＤ−ＤＡ部は所定の速度で再生するので、ディスクの回転を急激に加速、減速を繰り返さなければならず、急加減速による回転制御系での電力消費が多くなってしまう。また同一のモータ、ピックアップ素子で双方の制御を行うため制御回路の設計が困難になってきている。そのため省電力の目的及び制御回路構成の簡略化の目的のためにＣＤ−ＤＡ部再生時も高速ディスクからデータを読み出し半導体メモリに一度データを蓄え、読み出しを所定の速度で行って上記問題を解決しているものがある。
このような機能を有するディスク再生装置のうち、ポータブルＣＤプレーヤやＭＤプレーヤなどの上記（１）の耐振性強化目的の再生装置のシステム構成は図１３に示す通りである。
【０００５】
図１３において、ディスク１をディスク回転制御回路２、ディスクモータ駆動回路３及びディスクモータ４によって、所定の速度よりも速い線速度一定で回転させる。ディスク１からデータを読み出すピックアップ素子５は、回転するディスク１の内周から外周をリニアトラッキングすることによりデータを読み出す。ピックアップ素子５が読み取ったデータは、ヘッドアンプ６で増幅され、広帯域の信号（ＲＦ信号）に変換される。ＲＦ信号は、二値化回路７によりハイ（“Ｈｉｇｈ”）レベルとロー（“Ｌｏｗ”）レベルの二値のみのデータに変換される。二値化された信号は、ＰＬＬ（Ｐｈａｓｅ  Ｌｏｃｋｅｄ  Ｌｏｏｐ）回路８及び信号処理回路９に送られる。信号処理回路９は、最初に同期分離回路１０でＲＦ信号に含まれる同期信号を分離し、同期信号を回転制御回路２に送り、同期信号を分離した後の再生データを復調回路１１に送る。復調後、エラー訂正１２の処理が行われたデータは、そのままあるいは圧縮処理１３のあとＰＬＬ回路８が生成するＲＦ信号に同期したクロック信号によりメモリ１４へ書き込まれる。ＭＤではディスクにすでに圧縮済みのデータが記録されているため圧縮処理１３は必要ない。ＣＤではメモリ１４の容量を小さくする目的で圧縮処理１３を行った後、メモリ１４に書き込む。
【０００６】
ＣＤでも圧縮せずに直接メモリ１４に書き込む場合がある。メモリ１４に蓄えられたデータは水晶発振子１５などから生成された読み出しクロック信号により所定の再生速度で読み出され、そのままあるいは伸張処理１６を経て出力処理回路１７へ送られる。ＭＤではディスクにすでに圧縮済みのデータが記録されているため伸張処理１６が必要となる。ＣＤではメモリ１４の容量を小さくする目的で圧縮処理１３を行っている場合は伸張処理１６が必要となる。ＣＤでも圧縮せずに直接メモリ１４に書き込む場合は伸張処理１６は必要ない。出力処理回路１７は、デジタルデータのままあるいはＤ／Ａ変換器１８によりアナログ信号に変換して、あるいは更にデジタルオーディオＩ／Ｆ１９でデジタル出力信号に変換して信号を出力する。一方復調回路１１内で分離されたサブコード情報は、サブコード処理回路２０に送られアドレス情報などが復調される。回転制御回路２は、同期信号から線速度一定の制御信号を生成し、この制御信号をディスクモータ駆動回路３へ送り、ディスクモータ４を線速度一定に制御する。システムコントローラ（マイクロプロセッサ）２１は、メモリ１４内のデータ量およびサブコード処理回路２０からのアドレス情報を常に監視し、メモリ１４がオーバーフローしないようにメモリ１４への書き込みのオンとオフをコントロールし、ピックアップ素子５を制御する。また、外部からの振動などでディスク１からのデータの読み出しが中断した場合、その後の読み出し復帰のコントロールも行う。
【０００７】
このようなシステムでディスクからのデータの読み出し速度を所定の再生速度よりも速く、例えば、２倍の速度で行うことにより、メモリのデータへの書き込みは、読み出しの２倍の速度となり、常にメモリ内にデータを蓄えることができる。外部からの振動でピックアップ素子が影響を受け、ディスクからのデータ読み出しが中断してもメモリ内に蓄えられたデータを読み出すことにより、再生信号の出力を中断せず、その間にピックアップ素子を制御し、データの読み出し、メモリへの書き込みを再開する。したがって再生信号の出力は途切れることがなく耐振性を向上させることができる。
また、この機能を有するディスク再生装置のうち、ＣＤ−ＲＯＭドライブなどの上記（２）の高速データ転送を目的とし、また省電力化及びシステム構成の簡略化とする再生装置のシステム構成は、図１４に示す通りである。ディスク１を回転制御回路２、ディスクモータ駆動回路３及びディスクモータ４によって所定の速度よりも速い、線速度あるいは角速度の一定速度で回転させる。ディスクモータ４又はディスクモータ駆動回路３からは角速度情報であるＦＧ信号が回転制御回路２へ送られる。
【０００８】
ディスク１からデータを読み出すピックアップ素子５は、回転するディスク１の内周から外周をリニアトラッキングすることにより、データを読み出す。ピックアップ素子５が読み取ったデータは、ヘッドアンプ６で増幅され、広帯域の信号（ＲＦ信号）に変換される。ＲＦ信号は、二値化回路７により、ハイ“Ｈｉｇｈ”レベルとロー“Ｌｏｗ”レベルの二値のみのデータに変換される。二値化された信号は、ＰＬＬ回路８及び信号処理回路９に送られる。信号処理回路９は最初に同期分離回路１０でＲＦ信号に含まれる同期信号を分離し、同期信号を回転制御回路２に送り、同期信号を分離した後の再生データを復調回路１１に送る。復調後エラー訂正１２の処理が行われたデータは、ＣＤ−ＲＯＭデータの復調処理２２の後あるいはそのままＰＬＬ回路８が生成するＲＦ信号に同期したクロック信号により、メモリ１４へ書き込まれる。ＣＤ−ＲＯＭデータディスクの場合はＣＤ−ＲＯＭ復調１１が必要となるが、ＣＤ−ＤＡのディスクでは必要ない。メモリ１４に蓄えられたデータは、水晶発振子１５などから生成されたクロック信号により所定の再生速度で読み出され、出力処理回路１７へ送られる。
【０００９】
ここでＣＤ−ＲＯＭディスクの場合はＣＤ−ＲＯＭ用のＩ／Ｆ回路２３を経て信号が出力され、ＣＤ−ＤＡディスクの場合はＤ／Ａ変換器１６によりアナログ信号に変換されてあるいはデジタルオーディオＩ／Ｆ１９でデジタル出力信号に変換されて信号が出力される。一方、信号処理回路９内で分離されたサブコード情報は、サブコード処理回路２０に送られ、アドレス情報などを復調する。回転制御回路２は、同期信号から線速度一定の制御信号を生成し、あるいはＦＧ信号（角速度情報）から角速度一定の制御信号を生成し、この制御信号をディスクモータ駆動回路３へ送り、ディスクモータ４を線速度一定あるいは角速度一定に制御する。システムコントローラ（マイクロプロセッサ）２１は、メモリ１４内のデータ量及びサブコード処理回路２０からのアドレス情報を常に監視し、メモリ１４がオーバーフローしないようにメモリ１４への書き込みのオンとオフをコントロールし、ピックアップ素子５を制御する。
このようなシステムによって、同一のディスクにＣＤ−ＲＯＭのデータと、ＣＤ−ＤＡのデータが記録されていて、頻繁にその双方を再生する場合において、ＣＤ−ＤＡ部再生時も高速でディスクからデータを読み出し、半導体メモリに一度データを蓄え、読み出しを所定の速度で行い、ディスクの回転を急激に加速、減速をせずに、ＣＤ−ＤＡ部、ＣＤ−ＲＯＭ部の双方の再生を可能にし、電力消費の増加を防いでいる。また、ＣＤ−ＲＯＭ部とＣＤ−ＤＡ部の読み出し時のディスクの回転速度が近いため、同一のモータ、ピックアップ素子での制御回路の設計が容易にできる。
【００１０】
【発明が解決しようとする課題】
前述のような方法ではディスクの回転を常にディスクからのデータの読み出しが所定の再生速度よりも速くなるように設定するので、所定の速度で読み出しているときに比べて、回転制御系での電力消費が多くなってしまう。特に線速度一定での制御ではディスクの内周と外周で角速度が異なるため、アクセス動作でピックアップ素子を内外周に移動する度にモータを加速、減速して線速度を一定に制御する。その結果モータ系での電力消費が大きくかった。ポータブルＣＤプレーヤ、ＭＤプレーヤでは電池での動作となるために電力の増加は電池寿命の減少につながって好ましくない。
また、回転制御の速度を高めて線速度一定あるいは角速度一定の制御をかけるため、ディスクモータにはトルクの高いモータを使わなければならず、モータ系のコストが高くなる傾向がある。
【００１１】
線速度一定の制御で読み出しを行う場合、読み出しの中断後の再開のときに、同期信号を検出してから線速度一定の制御をかけるため、回転制御系の安定までに時間を要し、その分早めに読み出し再開の準備をしなければならず、その間電力を消費してしまう。角速度一定の制御にて読み出す場合は、ＦＧ信号による回転制御のため常に安定に制御できるが、ＣＤのように線速度一定で記録されたディスクを角速度一定の制御を行うには、角速度情報を得るためのＦＧ信号生成手段がモータ系に必要となり、モータ系のコストが高くなる傾向がある。
本発明はこのような事情によりなされたものであり、必要とされる再生速度よりも速い速度でディスクを回転させディスクに記録された情報を一度半導体メモリに蓄え、そのメモリから所定の再生速度で情報を読み出すという機能を備え、ディスクの回転制御を帰還制御をかけないで制御してこの回転制御に必要な電力消費を少なくしたディスク再生装置及びディスク再生制御装置を提供する。
【００１２】
【課題を解決するための手段】
本発明は、必要とされる再生速度よりも速い速度でディスクを回転させ、ディスクに記録された情報を一度半導体メモリに蓄え、そのメモリから所定の再生速度で情報を読み出すという機能を備えたディスク再生装置において、ディスクの回転制御を線速度一定の制御や角速度一定の制御のような帰還制御をかけずに所定の直流信号でディスク回転を制御することを特徴としている。
このようにディスクの回転を制御することにより、ディスクの回転制御に必要な電力消費を削減することを可能にする。
【００１３】
すなわち本発明のディスク再生装置は、情報が記録されているディスクから情報を含む信号を読み出すピックアップ手段と、前記ピックアップ手段の出力から必要な情報を取り出し、これを増幅するヘッドアンプと、前記ヘッドアンプが生成した情報を含む信号をハイレベルとローレベルの二値の情報に変換する二値化手段と、前記二値化手段の出力信号に同期したクロックを生成するＰＬＬ手段と、前記二値化手段の出力信号を前記ＰＬＬ手段の生成したクロックを基にして情報再生に必要な信号処理を行い、情報信号を出力し、且つ前記ディスク上に記録された同期信号を分離する信号処理手段と、前記ディスクの情報再生に必要な再生クロックを生成する再生クロック生成手段と、前記信号処理手段の出力情報を、前記ＰＬＬ手段の生成したクロックを基にして書き込みを行い、前記再生クロック生成手段の生成したクロックを基にして情報の読み出しを行い、前記ディスクから読み出した情報を一時的に蓄えるメモリ手段と、前記メモリから読み出された情報を所定の形式に変換して出力する出力処理手段と、前記信号処理手段が分離した同期信号から前記ディスクの再生線速度を検出する線速度検出手段と、前記ディスクを回転させるディスクモータと、前記ディスクモータを駆動するディスクモータ駆動手段と、前記ディスクモータ駆動手段に駆動信号である直流信号を送る直流信号発生手段と、前記線速度検出手段の検出した線速度を監視し、その情報を基にして前記直流信号発生手段の出力直流信号を設定し、且つ前記メモリ手段内のデータがオーバーフローしないように前記メモリ手段への情報の書き込み動作の中断と再開を制御するシステムコントロール手段とを具備し、前記システムコントロール手段は、前記線速度検出手段の検出した線速度が前記メモリ手段内に常にデータを蓄えるためにメモリ手段からの情報の読み出しよりもデータの書き込みの方が早くなるように予め設定された線速度に近くなるように前記直流信号発生手段の出力直流信号を設定した後は該直流信号を固定し、以後その固定の直流信号で前記ディスクモータを駆動することを特徴としている。
【００１４】
前記ピックアップ手段の制御を行い、前記システムコントロール手段により、その制御の中断と再開をコントロールできるピックアップ制御手段を更に具備し、前記システムコントロール手段は、前記メモリ手段への情報の書き込みを中断している時間は前記ピックアップ制御手段を停止させ、その停止期間中、前記直流信号発生手段は、一度設定した固定の直流信号を出力し、前記ディスクの回転は中断しないようにしても良い。前記信号処理手段が分離した同期信号から前記ディスクの線速度を一定に制御する制御信号を生成する回転制御信号生成手段と、前記回転制御信号生成手段の出力から直流成分を抽出するローパスフィルタ手段とを更に具備し、前記システムコントロール手段は、前記回転制御信号生成手段により、前記ディスクの回転を、前記メモリ手段内に常にデータを蓄えるためにメモリ手段からの情報の読み出しよりもデータの書き込みの方が早くなるように予め設定された線速度に制御し、前記ローパスフィルタ手段は前記回転制御信号生成手段の出力信号の直流成分を抽出し、前記ローパスフィルタ手段が抽出した直流成分を前記直流信号発生手段の出力信号として設定することにより、予め設定された線速度に近くなるように前記直流信号発生手段の出力直流信号を設定することを特徴とし、設定した後は、該直流信号を固定し、以後その固定の直流信号で前記ディスクモータを駆動するようにしても良い。前記ディスクの回転角速度情報を検出する角速度検出手段と、前記角速度検出手段が検出した角速度情報から前記ディスクの角速度を一定に制御する制御信号を生成する回転制御信号生成手段と、前記回転制御信号生成手段の出力から、直流成分を抽出するローパスフィルタとを更に具備し、前記システムコントロール手段は、前記回転制御信号生成手段により前記ディスクの回転を前記メモリ手段内に常にデータを蓄えるためにメモリ手段からの情報の読み出しよりもデータの書き込みの方が早くなるように予め設定された線速度に近い角速度一定に制御し、前記ローパスフィルタ手段は前記回転制御信号生成手段の出力信号の直流成分を抽出し、前記ローパスフィルタ手段が抽出した直流成分を前記直流信号発生手段の出力信号として設定することにより、予め設定された線速度に近くなるように前記直流信号発生手段の出力直流信号を設定することを特徴とし、設定した後は、該直流信号を固定し、以後その固定の直流信号で前記ディスクモータを駆動するようにしても良い。
【００１５】
また本発明のディスク再生制御回路は、情報の記録されているディスクから再生された情報を含む信号をハイレベルとローレベルの二値の情報に変換する二値化手段と、前記二値化手段の出力信号に同期したクロックを生成するＰＬＬ手段と、前記二値化手段の出力信号を前記ＰＬＬ手段が生成したクロックを基にして情報再生に必要な信号処理を行い、情報信号を出力し、且つ前記ディスク上に記録された同期信号を分離する信号処理手段と、前記ディスクの情報再生に必要な再生クロックを生成する再生クロック生成手段と、前記信号処理手段の出力情報を前記ＰＬＬ手段の生成したクロックを基にして書き込みを行い、前記再生クロック生成手段の生成したクロックを基にして情報の読み出しを行い、前記ディスクから読み出した情報を一時的に蓄えるためのメモリ手段と、前記メモリ手段から読み出された情報を所定の形式に変換して出力する出力処理手段と、前記信号処理手段が分離した同期信号から前記ディスクの再生線速度を検出する線速度検出手段と、前記ディスクの回転を制御する直流信号を生成する直流信号発生手段と、前記線速度検出手段の検出した線速度を監視し、その情報を基にして前記直流信号発生手段の出力直流信号を設定し、且つ前記メモリ内のデータがオーバーフローしないように前記メモリ手段への情報の書き込み動作の中断と再開を制御するシステムコントロール手段とを具備し、前記システムコントロール手段は、前記線速度検出手段の検出した線速度が前記メモリ手段内に常にデータを蓄えるためにメモリ手段からの情報の読み出しよりもデータの書き込みの方が早くなるように予め設定された線速度に近くなるように前記直流信号発生手段の出力直流信号を設定した後は該直流信号を固定し、以後その固定の直流信号で前記ディスクモータを駆動することを特徴としている。
【００１６】
前記信号処理手段が分離した同期信号から前記ディスクの線速度を一定に制御する制御信号を生成する回転制御信号生成手段と、前記回転制御信号生成手段の出力から直流成分を抽出するローパスフィルタ手段とを更に具備し、前記システムコントロール手段は、前記回転制御信号生成手段により前記ディスクの回転を前記メモリ手段内に常にデータを蓄えるためにメモリ手段からの情報の読み出しよりもデータの書き込みの方が早くなるように予め設定された線速度に制御し、前記ローパスフィルタ手段は前記回転制御信号生成手段の出力信号の直流成分を抽出し、前記ローパスフィルタ手段が抽出した直流成分を前記直流信号発生手段の出力信号として設定することにより、予め設定された線速度に近くなるように前記直流信号発生手段の出力直流信号を設定することを特徴とし、設定した後は、該直流信号を固定し、以後その固定の直流信号で前記ディスクモータを駆動するようにしても良い。前記ディスクの回転角速度情報を検出する角速度検出手段と、前記角速度検出手段が検出した角速度情報から前記ディスクの角速度を一定に制御する制御信号を生成する回転制御信号生成手段と、前記回転制御信号生成手段の、出力から、直流成分を抽出するローパスフィルタ手段とを更に具備し、前記システムコントロール手段は、前記回転制御信号生成手段により前記ディスクの回転を前記メモリ手段内に常にデータを蓄えるためにメモリ手段からの情報の読み出しよりもデータの書き込みの方が早くなるように予め設定された線速度に近い角速度一定に制御し、前記ローパスフィルタ手段は前記回転制御信号生成手段の出力信号の直流成分を抽出し、前記ローパスフィルタ手段が抽出した直流成分を前記直流信号発生手段の出力信号として設定し、設定した後は、該直流信号を固定し、以後その固定の直流信号で前記ディスクモータを駆動する用にしても良い。
請求項１、請求項５により、モータを完全に直流信号で回すことが可能となり速度制御時に行っていた速度の加速、減速といった調整によりモータで消費していた電力を減少させることができる。特にアクセス動作の際の急激にピックアップ素子を内外周に移動させる動作では従来のように急激にディスクモータを加速減速して線速度を一定に制御する必要が全く無いのでモータ系での電力消費を小さく抑えることができる。また比較的低価格のブラシ付きＤＣモータでも電力消費の問題を解決できる。
【００１７】
請求項２により、メモリへのデータの書き込みを行っていない間にピックアップ制御をオフしてピックアップ制御系での電力消費を抑えることができる。またディスクはピックアップ制御がオフしている間も同じ直流駆動信号で回り続けているのでピックアップ制御を再度オンしてメモリへの書き込みを再開する際に回転が不安定な状態（制御オフからオンの過渡的な状態）にならない。そのためデータ書き込みの再開を早くできる。したがってピックアップ制御をオンしている時間を短くできピックアップ制御系での電力消費を抑えることができる。また比較的低価格のブラシ付きＤＣモータでも電力消費の問題を解決できる。
請求項３、請求項４、請求項６、請求項７においては、回転速度は回転制御回路で生成した信号で線速度一定あるいは角速度一定にディスクモータを制御しているのと擬似的に同じことになるのでディスクモータのトルクのばらつき、ディスクモータ駆動回路の電気的特性のばらつき、周囲温度などの環境変化による特性の変化などでディスクの回転速度がばらつくのを抑えることができる。
【００１８】
【発明の実施の形態】
以下、図面を参照して発明の実施の形態を説明する。
まず、図１乃至図３を参照して第１の実施例を説明する。図１は、本発明のディスク再生装置のブロック図である。ディスク１を直流信号発生回路２５が生成する所定の直流信号を基にしてディスクモータ駆動回路３、ディスクモータ４によって回転させる。ディスク１からデータを読み出すピックアップ素子５は、回転するディスクの内周から外周をリニアトラッキングすることによりデータを読み出す。ピックアップ素子５が読み取ったデータは、ヘッドアンプ６で増幅され、広帯域の信号（ＲＦ信号）に変換される。ＲＦ信号は、二値化回路７により、ハイ“Ｈｉｇｈ”レベルとロー“Ｌｏｗ”レベルの二値のみのデータに変換される。二値化された信号は、ＰＬＬ回路８及び信号処理回路９に送られる。信号処理回路９では同期分離回路１０（図２、図３参照）でＲＦ信号に含まれる同期信号を分離し、同期信号を線速度検出回路２４に送る。同期信号を分離した後の再生データは、復調回路１１に送られる。再生データは、復調後エラー訂正回路１２で処理が行われ、そのままあるいは圧縮処理１３（図２参照）、又はＣＤ−ＲＯＭデータの復調２２処理後（図３参照）はＰＬＬ回路８が生成するＲＦ信号に同期したクロック信号により、メモリ１４へ書き込まれる。
【００１９】
メモリ１４に蓄えられたデータは、水晶発振子１５などから生成されたクロック信号により所定の再生速度で読み出され出力処理回路１７へ送られる。出力処理回路１７では所望の出力形式に変換して出力する。システムコントローラ（マイクロプロセッサ）２１は、メモリ１４内のデータ量およびアドレス情報を常に監視し、メモリ１４がオーバーフローしないようにメモリ１４への書き込みのオンとオフをコントロールする。線速度検出回路２４は、信号処理回路９からの同期信号をもとに、ディスク１の再生線速度を検出しその結果をシステムコントローラ（マイクロプロセッサ）２１に送る。システムコントローラ（マイクロプロセッサ）２１は、線速度検出結果からディスク１の回転速度すなわちメモリ１４のへのデータの書き込みの速度を監視し、適当な速度になっているかどうかを確認し、適当な速度になるように、直流信号発生回路２５の出力を調整する。一方復調回路１１内で分離されたサブコード情報は、サブコード処理回路２０に送られ、アドレス情報などが復調される（図２、図３参照）。
【００２０】
この構成のディスク再生装置またはディスク再生制御回路では、ディスク１の回転速度を帰還制御をかけずに、所定値に設定した直流信号でディスク１を概ね所望の速度で回し、ピックアップ素子５が読み取ったデータを一度半導体メモリ１４に蓄え、メモリ１４内に蓄えられたデータを決められた再生速度にしたがって読み出すことが可能である。直流信号のみでモータを回すと回転ムラ（ワウフラッタ）が発生するが、メモリ１４の容量が十分に大きければワウフラッタを完全に吸収できるので問題ない。
モータを完全に直流信号で回せると速度制御時に行っていた速度の加速、減速といった調整が全く働かないのでモータで消費する電力を減少させることができる。とくにアクセス動作の際のピックアップ素子５を内外周に移動する動作でもディスクモータ４を加速、減速して線速度を一定に制御しないため、モータ系での電力消費を小さく抑えることができる。
【００２１】
また角速度一定の制御をかければ上記アクセス時の電力問題は少ないが、ＣＤのように線速度一定で記録されたディスクを角速度一定の制御で回すには、角速度を検出する手段が必要となる。したがって、ホールセンサーやパルスエンコーダ付きのモータが必要となり、生産コストの上昇につながってしまう。上記構成の再生装置または再生制御回路では、低価格のブラシ付きＤＣモータでも、上記電力消費の問題を解決できる。
このシステムの回路構成でＣＤプレーヤ、ＭＤプレーヤなどのオーディオ用プレーヤのシステムを構成した場合の構成図を図２に示す。またこの回路構成でＣＤ−ＲＯＭドライブなどの情報機器の周辺記憶装置を構成した場合の構成図を図３に示す。
【００２２】
次に、図４乃至図７を参照して第２の実施例を説明する。
図４は、ピックアップ制御のオン／オフの機能が付加されたディスク再生装置である。ピックアップ制御回路２６は、データ読み出しのために、ピックアップ素子５の位置を制御する回路であり、その制御信号は、ヘッドアンプ６で生成され、ピックアップ制御回路２６に送られる。ピックアップ制御回路のオン／オフはシステムコントローラ２１が管理し、メモリ１４へのデータを書き込みをしていない期間は、ピックアップ制御を完全にオフにし、ピックアップ制御回路２６での電力の消費を抑える。
【００２３】
この動作中の、メモリ１４のデータ量、ピックアップ制御２６のオン／オフ、直流信号発生回路２５の動作を図７に示す。最初メモリ内にデータが空の状態からディスクの再生を開始すると、ピックアップ制御回路２６、直流信号発生回路２５は共にオン状態で、ピックアップ素子５が読み取ったデータがヘッドアンプ６で増幅、二値化回路７で二値化され、その信号にＰＬＬ回路８がクロックを同期させたところで、信号処理回路９の信号処理が開始され、メモリ１４へのデータの書き込みを開始する。メモリ１４への書き込みの速度はあらかじめ読み出しの速度より速くなるように、直流信号発生回路２５の出力が設定されているため、書き込みが開始されるとメモリ１４内にデータが蓄えられ始める。メモリ１４内がデータで満杯になった時点でメモリ１４への書き込みをオフ（中断）するが、このとき同時にピックアップ制御２６も同時にオフし、ピックアップ制御２６での電力の消費を抑える。書き込みがオフの間でも、読み出しは所定の速度で行われるのでメモリ１４内のデータ量は減少していく。データ量が予め設定しておいた書き込み再開レベルまで減少したときに、再びピックアップ制御回路２６をオンし、ＰＬＬ回路８が同期した時点でメモリ１４への書き込みを再開する。再開後は再びデータ量が増加を始める。
【００２４】
この動作の間、直流信号発生回路２５は常にオンにしておき、ディスクモータ４は直流の駆動信号で回転を続けている。したがってピックアップ制御回路２６のオン／オフに関わらず、データの読み出しを行っているときは常にディスクモータ４は回転している。
この実施例のディスク再生装置は、第１の実施例の効果に加えて、メモリ１４へのデータの書き込みを行っていない間に、ピックアップ制御２６をオフしてピックアップ制御系での電力消費を抑えることが可能となる。
さらに、ディスクモータ４はピックアップ制御２６がオフしている間も、同じ直流駆動信号で回り続けているので、ピックアップ制御２６を再度オンしてメモリ１４への書き込みを再開する際に、回転が不安定な状態（制御オフからオンの過渡的な状態）にならないので、データ書き込みの再開を早くできる。従来例ではピックアップ制御２６をオンしてＰＬＬ回路８が同期化して同期信号が得られるまでは、線速度一定の回転制御が安定せず、データ書き込み再開までに時間を要していた。この実施例では、その時間を短縮できるので、ピックアップ制御２６をオンしている時間を従来よりも短くでき、ピックアップ制御系での電力消費を抑えることができる。
【００２５】
また角速度一定の制御をかければ上記書き込み再開時の電力問題は少ないが、ＣＤのように線速度一定で記録されたディスクを角速度一定の制御で回すには、角速度を検出する手段が必要となっている。したがって、ホールセンサやパルスエンコーダ付きのモータが必要となり、生産コストの上昇につながってしまう。上記構成の再生装置または再生制御回路では、低価格のブラシ付きＤＣモータでも、上記電力消費の問題を解決できる。
このシステムの回路構成においてＣＤプレーヤ、ＭＤプレーヤなどのオーディオ用プレーヤのシステムを構成した場合の構成図を図５に示す。また、この回路構成においてＣＤ−ＲＯＭドライブなどの情報機器の周辺記憶装置を構成した場合の構成図を図６に示す。
【００２６】
次に、図８乃至図１０を参照して第３の実施例を説明する。
図８は、この実施例のディスク再生制御回路を有するディスク再生装置のブロック図である。ディスク１をディスクモータ駆動回路３、ディスクモータ４によって回転させる。ディスク１からデータを読み出すピックアップ素子５は回転するディスクの内周から外周をリニアトラッキングすることにより、データを読み出す。ピックアップ素子５が読み取ったデータは、ヘッドアンプ６で増幅され、広帯域の信号（ＲＦ信号）に変換される。ＲＦ信号は二値化回路７によりハイ“Ｈｉｇｈ”レベルとロー“Ｌｏｗ”レベルの二値のみのデータに変換される。二値化された信号はＰＬＬ回路８及び信号処理回路９に送られる。信号処理回路９では同期信号を分離し、同期信号を回転制御回路２に送る。同期信号を分離した後の再生データについては、図２及び図３のものと同様に、復調、エラー訂正処理などの処理を行い、ＰＬＬ回路８が生成するＲＦ信号に同期したクロック信号により、メモリ１４へ書き込む。メモリ１４に蓄えられたデータは水晶発振子１５などから生成されたクロック信号により所定の再生速度で読み出され、出力処理回路１７へ送られる。
【００２７】
出力処理回路１７では所望の出力形式に変換して出力する。システムコントローラ（マイクロプロセッサ）２１は、メモリ１４内のデータ量及びアドレス情報を常に監視し、メモリ１４がオーバーフローしないようにメモリ１４への書き込みのオンとオフをコントロールする。回転制御回路２は、信号処理回路９からの同期信号でディスク１の回転速度を線速度一定又は角速度一定に制御する信号を生成する。システムコントローラ（マイクロプロセッサ）２１は、スイッチ２８を最初は回転制御回路２側に設定し、ディスク１を線速度一定又は角速度一定に制御する。その間ローパスフィルタ（ＬＰＦ）２７は、回転制御回路２の出力の直流成分を抽出する。直流信号発生回路２５は、ＬＰＦ２７の出力の直流信号を保持しておく。この直流成分信号を保持し終えたらシステムコントローラ２１は、スイッチ２８を直流信号発生回路２５側に切換え、ディスクモータ４を直流信号で駆動する。
【００２８】
この実施例では、最初に線速度一定あるいは角速度一定にディスクモータ４を制御し、その制御状態の回転制御回路２の出力信号の直流成分を保持するので、スイッチ２８を直流信号発生回路２５側に切換えた後も回転速度は回転制御回路２で生成した信号で制御しているのと擬似的に同じことになる。そのためディスクモータ４のトルクのばらつき、ディスクモータ駆動回路３の電気的特性のばらつき、周囲温度などの環境変化による特性の変化などでディスク１の回転速度がばらつくのを抑えることができる。例えば、ディスクの最内周を読み出しているときに、線速度をある特定の速度（例えば、ビットレート１７．２８７２Ｍｂｐｓ）で再生し、その時の回転制御回路２の出力の直流成分を保持すれば、ディスクは常にその時の角速度（最内周で１７．２８７２Ｍｂｐｓ）に近い角速度で回転を続ける。
この実施例では、再生装置の量産時のディスクモータのトルクのばらつき、また再生されるディスクの質量のばらつきなどがあってもそれを吸収してばらつきの少ない回転速度を実現でき、且つ本発明の特徴である直流信号でディスクを回す事が可能となる。
このシステムの回路構成において、ＣＤプレーヤ、ＭＤプレーヤなどのオーディオ用プレーヤのシステムを構成した場合の構成図を図９に示す。また、この回路構成で、ＣＤ−ＲＯＭドライブなどの情報機器の周辺記憶装置を構成した場合の構成図を図１０に示す。
【００２９】
次に、図１１を参照して第４の実施例を説明する。
図８は、この実施例のディスク再生制御回路を有するディスク再生装置のブロック図である。ディスク１をディスクモータ駆動回路３、ディスクモータ４によって回転させる。ディスク１からデータを読み出すピックアップ素子５は回転するディスクの内周から外周をリニアトラッキングすることにより、データを読み出す。ピックアップ素子５が読み取ったデータは、ヘッドアンプ６で増幅され、広帯域の信号（ＲＦ信号）に変換される。ＲＦ信号は二値化回路７によりハイ“Ｈｉｇｈ”レベルとロー“Ｌｏｗ”レベルの二値のみのデータに変換される。二値化された信号はＰＬＬ回路８及び信号処理回路９に送られる。信号処理回路９では同期信号を分離し、同期信号を回転制御回路２に送る。同期信号を分離した後の再生データについては、図２及び図３のものと同様に、復調、エラー訂正処理などの処理を行い、ＰＬＬ回路８が生成するＲＦ信号に同期したクロック信号により、メモリ１４へ書き込む。メモリ１４に蓄えられたデータは水晶発振子１５などから生成されたクロック信号により所定の再生速度で読み出され、出力処理回路１７へ送られる。
【００３０】
出力処理回路１７では所望の出力形式に変換して出力する。システムコントローラ（マイクロプロセッサ）２１は、メモリ１４内のデータ量及びアドレス情報を常に監視し、メモリ１４がオーバーフローしないようにメモリ１４への書き込みのオンとオフをコントロールする。回転制御回路２は、ディスクモータ４から得られるＦＧ信号を基にしてディスク１の回転速度を線速度一定、または角速度一定に制御する信号を生成する。システムコントローラ（マイクロプロセッサ）２１は、スイッチ２８を最初は回転制御回路２側に設定し、ディスク１を線速度一定又は角速度一定に制御する。その間ローパスフィルタ（ＬＰＦ）２７は、回転制御回路２の出力の直流成分を抽出する。直流信号発生回路２５は、ＬＰＦ２７の出力の直流信号を保持しておく。この直流成分信号を保持し終えたらシステムコントローラ２１は、スイッチ２８を直流信号発生回路２５側に切換え、ディスクモータ４を直流信号で駆動する。
ＦＧ信号は、ディスクモータ４の回転数を検出する検出器（図示せず）の出力信号であり、ディスクをＣＡＶ制御で回転させれる場合に必要な要素である。この検出器で検出されたディスクモータ４の回転数信号（ＦＧ信号）は、回転制御回路２へ送られる。
【００３１】
この実施例では、ＦＧ信号を利用して最初に線速度一定あるいは角速度一定にディスクモータ４を制御し、その制御状態の回転制御回路２の出力信号の直流成分を保持するので、スイッチ２８を直流信号発生回路２５側に切換えた後も回転速度は回転制御回路２で生成した信号で制御しているのと擬似的に同じことになる。そのためディスクモータ４のトルクのばらつき、ディスクモータ駆動回路３の電気的特性のばらつき、周囲温度などの環境変化による特性の変化などでディスク１の回転速度がばらつくのを抑えることができる。例えば、ディスクの最内周を読み出しているときに、線速度をある特定の速度（例えば、ビットレート１７．２８７２Ｍｂｐｓ）で再生し、その時の回転制御回路２の出力の直流成分を保持すれば、ディスクは常にその時の角速度（最内周で１７．２８７２Ｍｂｐｓ）に近い角速度で回転を続ける。
この実施例では、再生装置の量産時のディスクモータのトルクのばらつき、また再生されるディスクの質量のばらつきなどがあっても、それを吸収してばらつきの少ない回転速度を実現でき、且つ本発明の特徴である直流信号でディスクを回す事が可能となる。
【００３２】
次に、図１２を参照して第５の実施例を説明する。
図１２は、ディスク再生制御回路を有するＤＶＤドライブのブロック図である。ディスク１をディスクモータ駆動回路３、ディスクモータ４によって回転させる。ディスク１からデータを読み出すピックアップ素子５は回転するディスクの内周から外周をリニアトラッキングすることにより、データを読み出す。ピックアップ素子５が読み取ったデータは、ヘッドアンプ６で増幅され、広帯域の信号（ＲＦ信号）に変換される。ＲＦ信号は二値化回路７によりハイ“Ｈｉｇｈ”レベルとロー“Ｌｏｗ”レベルの二値のみのデータに変換される。二値化された信号はＰＬＬ回路８及び信号処理回路９に送られる。信号処理回路９では同期信号を分離し、同期信号を回転制御回路２に送る。同期信号を分離した後の再生データについては復調、エラー訂正処理などの処理を行い、ＰＬＬ回路８が生成するＲＦ信号に同期したクロック信号により、メモリ１４へ書き込む。メモリ１４に蓄えられたデータは水晶発振子１５などから生成されたクロック信号により所定の再生速度で読み出され、ＤＶＤデコーダ２９へ送られる。ＤＶＤデコーダ２９では所望の出力形式に変換して出力される。
【００３３】
システムコントローラ（マイクロプロセッサ）２１は、メモリ１４内のデータ量及びアドレス情報を常に監視し、メモリ１４がオーバーフローしないようにメモリ１４への書き込みのオンとオフをコントロールする。回転制御回路２は、信号処理回路９からの同期信号でディスク１の回転速度を線速度一定又は角速度一定に制御する信号を生成する。システムコントローラ（マイクロプロセッサ）２１は、スイッチ２８を最初は回転制御回路２側に設定し、ディスク１を線速度一定又は角速度一定に制御する。その間ローパスフィルタ（ＬＰＦ）２７は、回転制御回路２の出力の直流成分を抽出する。直流信号発生回路２５は、ＬＰＦ２７の出力の直流信号を保持しておく。この直流成分信号を保持し終えたらシステムコントローラ２１は、スイッチ２８を直流信号発生回路２５側に切換え、ディスクモータ４を直流信号で駆動する。
【００３４】
この実施例では、最初に線速度一定あるいは角速度一定にディスクモータ４を制御し、その制御状態の回転制御回路２の出力信号の直流成分を保持するので、スイッチ２８を直流信号発生回路２５側に切換えた後も回転速度は回転制御回路２で生成した信号で制御しているのと擬似的に同じことになる。そのためディスクモータ４のトルクのばらつき、ディスクモータ駆動回路３の電気的特性のばらつき、周囲温度などの環境変化による特性の変化などでディスク１の回転速度がばらつくのを抑えることができる。例えば、ディスクの最内周を読み出しているときに、線速度をある特定の速度（例えば、ビットレート１７．２８７２Ｍｂｐｓ）で再生し、その時の回転制御回路２の出力の直流成分を保持すれば、ディスクは常にその時の角速度（最内周で１７．２８７２Ｍｂｐｓ）に近い角速度で回転を続ける。
この実施例では、再生装置の量産時のディスクモータのトルクのばらつき、また再生されるディスクの質量のばらつきなどがあっても、それを吸収してばらつきの少ない回転速度を実現でき、且つ本発明の特徴である直流信号でディスクを回すことが可能となる。
【００３５】
【発明の効果】
本発明は、以上の構成により、モータを完全に直流信号で回すことが可能となり、速度制御時に行っていた速度の加速、減速といった調整によりモータで消費していた電力を減少させることができる。特にアクセス動作の際の急激にピックアップ素子を内外周に移動させる動作では、従来のように急激にディスクモータを加速、減速して線速度を一定に制御する必要が全く無いのでモータ系での電力消費を小さく抑えることができる。また、比較的低価格のブラシ付きＤＣモータでも上記電力消費の問題を解決できる。
【図面の簡単な説明】
【図１】第１の実施例のディスク再生装置のブロック図。
【図２】第１の実施例のＣＤプレーヤ、ＭＤプレーヤなどオーディオ用ディスク再生装置のブロック図。
【図３】第１の実施例のＣＤ−ＲＯＭドライブなどの情報機器用ディスク再生装置のブロック図。
【図４】第２の実施例のディスク再生装置のブロック図。
【図５】第２の実施例のＣＤプレーヤ、ＭＤプレーヤなどオーディオ用ディスク再生装置のブロック図。
【図６】第２の実施例のＣＤ−ＲＯＭドライブなどの情報機器用ディスク再生装置のブロック図。
【図７】第２の実施例のディスク再生装置のタイミング図。
【図８】第３の実施例のディスク再生装置のブロック図。
【図９】第３の実施例のＣＤプレーヤ、ＭＤプレーヤなどオーディオ用ディスク再生装置のブロック図。
【図１０】第３の実施例のＣＤ−ＲＯＭドライブなどの情報機器用ディスク再生装置のブロック図。
【図１１】第４の実施例のディスク再生装置のブロック図。
【図１２】第５の実施例のＤＶＤドライブなどのディスク再生装置のブロック図。
【図１３】従来のＣＤプレーヤ、ＭＤプレーヤなどオーディオ用ディスク再生装置のブロック図。
【図１４】従来の情報機器用ディスク再生装置のブロック図。
【符号の説明】
１・・・ディスク、    ２・・・回転制御回路、
３・・・ディスクモータ駆動回路、    ４・・・ディスクモータ、
５・・・ピックアップ素子、    ６・・・ヘッドアンプ、
７・・・二値化回路、    ８・・・ＰＬＬ回路、  ９・・・信号処理回路、
１０・・・同期分離回路、    １１・・・復調回路、
１２・・・エラー訂正回路、  １３・・・圧縮回路、  １４・・・メモリ、
１５・・・水晶発振回路、    １６・・・伸張回路、
１７・・・出力処理回路、    １８・・・Ｄ／Ａ変換回路、
１９・・・デジタルオーディオＩ／Ｆ回路、
２０・・・サブコード処理回路、    ２１・・・システムコントローラ、
２２・・・ＣＤ−ＲＯＭ復調回路、
２３・・・ＣＤ−ＲＯＭデータＩ／Ｆ回路、  ２４・・・線速度検出回路、
２５・・・直流信号発生回路、    ２６・・・ピックアップ制御回路、
２７・・・ローパスフィルタ（ＬＰＦ）、    ２８・・・スイッチ、
２９・・・ＤＶＤデコーダ。
【図１】
0003916769.tif 000002
【図２】
0003916769.tif 000003
【図３】
0003916769.tif 000004
【図４】
0003916769.tif 000005
【図５】
0003916769.tif 000006
【図６】
0003916769.tif 000007
【図７】
0003916769.tif 000008
【図８】
0003916769.tif 000009
【図９】
0003916769.tif 000010
【図１０】
0003916769.tif 000011
【図１１】
0003916769.tif 000012
【図１２】
0003916769.tif 000013
【図１３】
0003916769.tif 000014
【図１４】
0003916769.tif 000015